(57)【特許請求の範囲】
【請求項１】
第１木製部材と第２木製部材の接合面同士を対面させてコマを介して接着する木製部材の連結構造であって、前記コマを接合方向に直交する面で分割して第１コマと第２コマとし、該第１コマと第２コマの中心部の同位置に貫通孔を有し、前記第１木製部材及び第２木製部材の接合面側に形成した座ぐり部に、それぞれ前記第１コマ及び第２コマの裏面側一部を嵌合して硬化するまでの時間が長い木工用接着剤で接着するとともに、該木工用接着剤が硬化後、予め前記第１コマの貫通孔に挿通しておいた連結ピンの軸部に、前記第２コマの裏面側に埋設しておいたプッシュナットを圧入するとともに、第１コマと第２コマの表面側同士を前記木工用接着剤より硬化するまでの時間が短い速乾性、あるいは即硬化性の木工用瞬間接着剤で接着することを特徴とする木製部材の連結構造。
【請求項２】
前記第１木製部材の座ぐり部の底面に前記連結ピンの頭部を収容する嵌合凹部を形成し、前記第２木製部材の座ぐり部の底面に前記連結ピンの軸部の先端を受け入れる逃し凹部を形成し且つ該座ぐり部の底面で前記逃し凹部の周囲にプッシュナットを嵌合する凹陥部を形成し、前記第１コマの貫通孔に前記連結ピンの軸部を挿通した状態で該第１コマの裏面側を前記第１木製部材の座ぐり部に木工用接着剤で接着する一方、前記第２木製部材の凹陥部に前記プッシュナットを嵌合した状態で前記第２コマの裏面側を第２木製部材の座ぐり部に木工用接着剤で接着し、該木工用接着剤が硬化後に、第１コマと第２コマの表面側に木工用瞬間接着剤を塗布し、前記連結ピンの軸部を第２コマの貫通孔に挿入して前記プッシュナットに圧入すると同時に、第１コマと第２コマの表面側同士を圧接して接着する請求項１記載の木製部材の連結構造。
【請求項３】
前記第１木製部材及び第２木製部材の座ぐり部に、前記第１コマ及び第２コマの裏面側一部を嵌合して木工用接着剤で接着するとともに、前記第１コマ及び第２コマをそれぞれ前記座ぐり部の底面に鋲着してなる請求項１又は２記載の木製部材の連結構造。
【請求項４】
木製の合板を立体的に成形した座板と背凭れ板とを、前述の請求項１〜３何れか１項に記載の木製部材の連結構造を用いて互いに連結するとともに、座板の下面を脚部で支持した構造の木製椅子において、前記座板の両側に上方且つ外側方へ向けて支持板を一体形成し、前記背凭れ板の下部両側に前方へ向けて表面側が上向くように肘掛け板を一体形成し、前記支持板と肘掛け板の一方を前記第１木製部材とし、他方を前記第２木製部材としてなり、前記支持板と肘掛け板の各連結部において複数箇所でコマを介して連結してなる木製椅子。
【発明の詳細な説明】
【技術分野】
【０００１】
本発明は、木製部材の連結構造及びそれを用いた木製椅子に係わり、更に詳しくは二枚の木製部材の接合面同士を対面させて連結する構造及びその連結構造を木製の座板と背凭れ板の連結に適用した椅子に関するものである。
【背景技術】
【０００２】
従来から、合板を立体的に成形して座板と背凭れ板を一体形成し、あるいは座板と背凭れ板とを別々に合板を立体的に成形し、それらを脚部で支持した構造の椅子は各種提供されている。ここで、前記座板の上面と背凭れ板の前面にはクッション体を取付けて座部と背凭れ部をそれぞれ構成している。座板と背凭れ板とを別々に成形した構造の椅子にあっては、前記座板と背凭れ板を、それぞれ脚部を構成するフレームに連結することが一般的であるが、脚部で支持した座板に背凭れ板を適宜手段で連結する構造のものも提供されている。
【０００３】
例えば、特許文献１には、座板の両側に耳部を立上げ形成するとともに、背凭れ板の下部両側に前方へ向いた耳部を連続形成し、座板と背凭れ板の両耳部の内側面にそれぞれ緩衝マウントを接着し、該緩衝マウントに埋設された複数のナット部材のネジ孔を利用してそれぞれ支持部材にネジ止めする構造が開示されている。つまり、前記座板の耳部に接着した緩衝マウントの内側面に略水平に配した支持部材の前部をネジ止めするとともに、背凭れ板の耳部に接着した緩衝マウントの内側面に支持部材の後部をネジ止めして、前記座板と背凭れ板とを弾性的に連結している。尚、前記支持部材は、肘掛けを取付けるためにも利用されている。
【０００４】
また、特許文献２には、脚部に固定した座板の下面後部の両側に、金属製のブラケットをネジ止めするとともに、該ブラケットに背凭れ板の下部両側をネジ止めした構造の椅子が開示されている。つまり、ブラケットを介して木製の座板と背凭れ板とを連結した構造となっている。
【０００５】
このように従来は、木製の座板と背凭れ板は、支持部材やブラケットを介してネジ止めによって連結する構造が一般的であった。直接、座板と背凭れ板とを連結する場合には、両板の連結部を重ね合わせ、両板を貫通させたボルト、ナットで締結して連結強度を確保することが考慮される。しかし、座板と背凭れ板を立体的に成形している場合には、成形誤差のため連結部の位置合わせを正確にできず、そしてネジやボルト等の締結具を用いて締結する場合、締結作業が難しく、直接板材同士を接合する場合には、接合面が合わない等の問題があった。また、座板と背凭れ板の外面側に締結具が露出し、外観性を損なうばかりでなく、経年使用で緩むことも懸念され、緩み止めのための工夫も必要であり、コスト高となる。
【０００６】
尚、木工製品において、二つの木製部材の接合面にコマを介在させて接着する接合技術は公知であるが、木工用接着剤は硬化までの養生時間が長くかかり、その間は他の作業ができず、また立体構造物の場合には静置しておくための広い作業空間が必要であるといった製造工程上の問題もある。
【先行技術文献】
【特許文献】
【０００７】
【特許文献１】特開平５−２５３０３２号公報
【特許文献２】特開２００９−１０６４１３号公報
【発明の概要】
【発明が解決しようとする課題】
【０００８】
そこで、本発明が前述の状況に鑑み、解決しようとするところは、二枚の木製部材の接合面同士を対面させて簡単且つ強固に連結することができるとともに、連結構造が部材表面に現われず、また部材を立体的に成形した場合でも成形誤差を吸収して連結することができ、経年変化も少ない木製部材の連結構造を提供し、またその連結構造を座板と背凭れ板の連結に用いた木製椅子を提供する点にある。
【課題を解決するための手段】
【０００９】
本発明は、前述の課題解決のために、第１木製部材と第２木製部材の接合面同士を対面させてコマを介して接着する木製部材の連結構造であって、前記コマを接合方向に直交する面で分割して第１コマと第２コマとし、該第１コマと第２コマの中心部の同位置に貫通孔を有し、前記第１木製部材及び第２木製部材の接合面側に形成した座ぐり部に、それぞれ前記第１コマ及び第２コマの裏面側一部を嵌合して硬化するまでの時間が長い木工用接着剤で接着するとともに、該木工用接着剤が硬化後、予め前記第１コマの貫通孔に挿通しておいた連結ピンの軸部に、前記第２コマの裏面側に埋設しておいたプッシュナットを圧入するとともに、第１コマと第２コマの表面側同士を前記木工用接着剤より硬化するまでの時間が短い速乾性、あるいは即硬化性の木工用瞬間接着剤で接着することを特徴とする木製部材の連結構造を構成した（請求項１）。
【００１０】
具体的には、前記第１木製部材の座ぐり部の底面に前記連結ピンの頭部を収容する嵌合凹部を形成し、前記第２木製部材の座ぐり部の底面に前記連結ピンの軸部の先端を受け入れる逃し凹部を形成し且つ該座ぐり部の底面で前記逃し凹部の周囲にプッシュナットを嵌合する凹陥部を形成し、前記第１コマの貫通孔に前記連結ピンの軸部を挿通した状態で該第１コマの裏面側を前記第１木製部材の座ぐり部に木工用接着剤で接着する一方、前記第２木製部材の凹陥部に前記プッシュナットを嵌合した状態で前記第２コマの裏面側を第２木製部材の座ぐり部に木工用接着剤で接着し、該木工用接着剤が硬化後に、第１コマと第２コマの表面側に木工用瞬間接着剤を塗布し、前記連結ピンの軸部を第２コマの貫通孔に挿入して前記プッシュナットに圧入すると同時に、第１コマと第２コマの表面側同士を圧接して接着する（請求項２）。
【００１１】
更に、前記第１木製部材及び第２木製部材の座ぐり部に、前記第１コマ及び第２コマの裏面側一部を嵌合して木工用接着剤で接着するとともに、前記第１コマ及び第２コマをそれぞれ前記座ぐり部の底面に鋲着してなることがより好ましい（請求項３）。
【００１２】
そして、木製の合板を立体的に成形した座板と背凭れ板とを、前述の請求項１〜３何れか１項に記載の木製部材の連結構造を用いて互いに連結するとともに、座板の下面を脚部で支持した構造の木製椅子において、前記座板の両側に上方且つ外側方へ向けて支持板を一体形成し、前記背凭れ板の下部両側に前方へ向けて表面側が上向くように肘掛け板を一体形成し、前記支持板と肘掛け板の一方を前記第１木製部材とし、他方を前記第２木製部材としてなり、前記支持板と肘掛け板の各連結部において複数箇所でコマを介して連結してなる木製椅子を構成した（請求項４）。
【発明の効果】
【００１３】
以上にしてなる請求項１に係る発明の木製部材の連結構造は、第１木製部材と第２木製部材の接合面同士を対面させてコマを介して接着する木製部材の連結構造であって、前記コマを接合方向に直交する面で分割して第１コマと第２コマとし、該第１コマと第２コマの中心部の同位置に貫通孔を有し、前記第１木製部材及び第２木製部材の接合面側に形成した座ぐり部に、それぞれ前記第１コマ及び第２コマの裏面側一部を嵌合して硬化するまでの時間が長い木工用接着剤で接着するとともに、該木工用接着剤が硬化後、予め前記第１コマの貫通孔に挿通しておいた連結ピンの軸部に、前記第２コマの裏面側に埋設しておいたプッシュナットを圧入するとともに、第１コマと第２コマの表面側同士を前記木工用接着剤より硬化するまでの時間が短い速乾性、あるいは即硬化性の木工用瞬間接着剤で接着するので、第１木製部材と第２木製部材の連結部にビスやネジ類が露出せず、外観性が良く、設計の自由度も多くなり、また第１木製部材と第２木製部材の間にコマを介在させたことにより、部材を立体的に成形した場合でも成形誤差を吸収して連結することができる。更に、第１コマと第２コマの座ぐり部に、それぞれ前記第１コマ及び第２コマの裏面側一部を嵌合して木工用接着剤で接着した状態で、木工用接着剤の養生中に部材の塗装作業を行うことができ、従来のように二つの部材を接着した嵩張る状態で養生のために静置しておく養生場所が不要となり、作業効率が向上する。そして、最後に、二つの部材のコマの接合面を木工用瞬間接着剤で接着すると同時に、両コマを連結ピンとプッシュナットで締結するので、短時間で連結作業を行うことができ、連結状態も強固であり、経年劣化も少ないのである。木工用接着剤は、強固に接着できる反面、養生時間が長い欠点を有し、木工用瞬間接着剤は、養生時間は短いが、脆く、衝撃に弱いといった欠点を有し、本発明はこれら二種類の接着剤の利点を最大限に生かし、欠点を目立たなくすることで、製造工程を改善し、連結強度も維持したのである。
【００１４】
請求項２によれば、前記第１木製部材の座ぐり部の底面に前記連結ピンの頭部を収容する嵌合凹部を形成し、前記第２木製部材の座ぐり部の底面に前記連結ピンの軸部の先端を受け入れる逃し凹部を形成し且つ該座ぐり部の底面で前記逃し凹部の周囲にプッシュナットを嵌合する凹陥部を形成し、前記第１コマの貫通孔に前記連結ピンの軸部を挿通した状態で該第１コマの裏面側を前記第１木製部材の座ぐり部に木工用接着剤で接着する一方、前記第２木製部材の凹陥部に前記プッシュナットを嵌合した状態で前記第２コマの裏面側を第２木製部材の座ぐり部に木工用接着剤で接着し、該木工用接着剤が硬化後に、第１コマと第２コマの表面側に木工用瞬間接着剤を塗布し、前記連結ピンの軸部を第２コマの貫通孔に挿入して前記プッシュナットに圧入すると同時に、第１コマと第２コマの表面側同士を圧接して接着するので、第１木製部材と第２木製部材の座ぐり部に、それぞれ第１コマ及び第２コマを接着する際に、所定位置に連結ピンとプッシュナットを配置しておくことが可能となり、連結時には第１コマと第２コマの接合面に木工用瞬間接着剤を塗布した後、直ちに連結ピンの軸部を反対側のコマの貫通孔に挿入して、プッシュナットに圧入するだけで連結作業が完了する。連結ピンの軸部を反対側のコマの貫通孔に挿入するので、単に接合面同士を接着する場合よりも両部材の位置決めが容易で、連結精度も高くなる。
【００１５】
請求項３によれば、前記第１木製部材及び第２木製部材の座ぐり部に、前記第１コマ及び第２コマの裏面側一部を嵌合して木工用接着剤で接着するとともに、前記第１コマ及び第２コマをそれぞれ前記座ぐり部の底面に鋲着してなるので、第１木製部材及び第２木製部材にそれぞれ第１コマ及び第２コマを木工用接着剤で接着した直後に、接着剤の硬化を待たずに他の工程、例えば部材の塗装工程に送ることができ、搬送中や塗装中に養生が完了するので、製造時間の大幅な短縮が図れるのである。
【００１６】
請求項４によれば、木製の合板を立体的に成形した座板と背凭れ板とを互いに連結するとともに、座板の下面を脚部で支持した構造の木製椅子において、座板と背凭れ板との連結部に前述の木製部材の連結構造を用いることにより、椅子の製造工程を改善し、製造時間の大幅な短縮を図ることによるコスト低減化を達成でき、しかも連結部の強度を十分に確保することができるのである。また、前記木製椅子は、前記座板の両側に上方且つ外側方へ向けて支持板を一体形成し、前記背凭れ板の下部両側に前方へ向けて表面側が上向くように肘掛け板を一体形成し、前記支持板と肘掛け板の一方を前記第１木製部材とし、他方を前記第２木製部材としてなり、前記支持板と肘掛け板の各連結部において複数箇所でコマを介して連結したので、連結部の位置決め精度が向上し、連結強度も高くなり、経年変化も少ないものとなり、連結部の表面に連結構造が現れないので、該連結部をそのまま肘掛け部とすることができる。
【図面の簡単な説明】
【００１７】
【図１】本発明に係る木製椅子の全体斜視図である。
【図２】同じく木製椅子の側面図である。
【図３】座板の斜視図である。
【図４】背凭れ板の下方から見た斜視図である。
【図５】座板と背凭れ板を連結する様子を示す斜視図である。
【図６】座板（第２木製部材）と背凭れ板（第１木製部材）にコマと連結ピンとプッシュナットを装着する状態を示し、（ａ）は背凭れ板（第１木製部材）に第１コマと連結ピンを装着する状態の分解断面図、（ｂ）は座板（第２木製部材）に第２コマとプッシュナットを装着する状態の分解断面図である。
【図７】背凭れ板（第１木製部材）と座板（第２木製部材）を連結する様子を示し、（ａ）は背凭れ板（第１木製部材）と座板（第２木製部材）を連結する前の状態の部分断面図、（ｂ）は背凭れ板（第１木製部材）と座板（第２木製部材）を連結する後の状態の部分断面図である。
【発明を実施するための形態】
【００１８】
次に、添付図面に示した実施形態に基づき、本発明を更に詳細に説明する。図１及び図２は、本発明の木製椅子を示し、図中符号１は座部、２は背凭れ部、３は脚部をそれぞれ示している。
【００１９】
本発明に係る木製椅子は、座部１に背凭れ部２を連結し、座部１を脚部３で支持した構造であり、前記座部１は合板を立体形状に成形した座板４の上面に座クッション体５を装着して構成し、前記背凭れ部２は合板を立体形状に成形した背凭れ板６の前面に背クッション体７を装着して構成している。
【００２０】
前記座板４と背凭れ板６は、図３〜図５に示すように、合板を立体形状に加熱・加圧して成形し、前記座板４の両側に上方且つ外側方へ向けて支持板８，８を一体形成し、前記背凭れ板６の下部両側に前方へ向けて表面側が上向くように肘掛け板９，９を一体形成し、前記肘掛け板９を本発明の第１木製部材とし、前記支持板８を本発明の前記第２木製部材としている。図１及び図２に示すように、前記座板４の支持板８の上に、前記背凭れ板６の肘掛け板９を重ねて二箇所の連結部１０，１０で強固に連結している。
【００２１】
前記脚部３は、本実施形態ではパイプフレームで構成し、前記座部１の下面にネジ止め等の適宜な固定手段で固定している。本発明において、脚部３の構造の限定は不要である。
【００２２】
本発明は、図３〜図７に示すように、前記背凭れ板６の肘掛け板９（第１木製部材）と前記座板４の支持板８（第２木製部材）の接合面同士を対面させて木製のコマを介して接着する連結構造である。本発明は、前記コマを接合方向に直交する面で分割して第１コマ１１と第２コマ１２とし、該第１コマ１１と第２コマ１２の中心部の同位置に貫通孔１３，１４を有し、前記肘掛け板９及び支持板８の接合面側に形成した座ぐり部１５，１６に、それぞれ前記第１コマ１１及び第２コマ１２の裏面側一部を嵌合して硬化するまでの時間が長い木工用接着剤１７で接着するとともに、該木工用接着剤１７が硬化後、予め前記第１コマ１１の貫通孔１３に挿通しておいた連結ピン１８の軸部２０に、前記第２コマ１２の裏面側に埋設しておいたプッシュナット１９を圧入するとともに、第１コマ１１と第２コマ１２の表面側同士を前記木工用接着剤１７より硬化するまでの時間が短い速乾性、あるいは即硬化性の木工用瞬間接着剤２１で接着するのである。前記座ぐり部１５，１６の深さは、それぞれ第１コマ１１と第２コマ１２の厚さよりも浅く設定する。本実施形態で、前記第１コマ１１と第２コマ１２を同一形状とし、円板状としたが、形状は任意である。
【００２３】
具体的には、前記肘掛け板９の座ぐり部１５の底面に前記連結ピン１８の頭部２２を収容する嵌合凹部２３を形成し、前記支持板８の座ぐり部１６の底面に前記連結ピン１８の軸部２０の先端を受け入れる逃し凹部２４を形成し且つ該座ぐり部１６の底面で前記逃し凹部２４の周囲にプッシュナット１９の鍔部を嵌合する凹陥部２５を形成し、前記第１コマ１１の貫通孔１３に前記連結ピン１８の軸部２０を挿通した状態で該第１コマ１１の裏面側を前記肘掛け板９の座ぐり部１５に木工用接着剤１７で接着する一方、前記支持板８の凹陥部２５に前記プッシュナット１９を嵌合した状態で前記第２コマ１２の裏面側を支持板８の座ぐり部１６に木工用接着剤１７で接着し、該木工用接着剤１７が硬化後に、図７に示すように、第１コマ１１と第２コマ１２の表面側に木工用瞬間接着剤２１を塗布し、前記連結ピン１８の軸部２０を第２コマ１２の貫通孔１４に挿入して前記プッシュナット１９に圧入すると同時に、第１コマ１１と第２コマ１２の表面側同士を圧接して接着するのである。
【００２４】
前記木工用瞬間接着剤２１は、第１コマ１１と第２コマ１２の表面の何れか一方に塗布すればよい。勿論、両方に塗布しても良いが、硬化するまでに素早く第１コマ１１と第２コマ１２の表面側同士を圧接する必要がある。第１コマ１１と第２コマ１２の表面側同士を接合後、前記支持板８と肘掛け板９をシャコ万で挟んで木工用瞬間接着剤２１が硬化するまで圧接する。
【００２５】
ここで、図７（ａ）に示した状態で、前記連結ピン１８の頭部２２が前記嵌合凹部２３に嵌合し、前記第１コマ１１に接合することにより、前記連結ピン１８の軸方向の変位が無い状態にする。一方、前記プッシュナット１９が前記凹陥部２５に嵌合し、前記第２コマ１２に接合することにより、該プッシュナット１９の軸方向の変位が無い状態にする。
【００２６】
更に、前記肘掛け板９及び支持板８の座ぐり部１５，１６に、前記第１コマ１１及び第２コマ１２の裏面側一部を嵌合して木工用接着剤１７で接着するとともに、前記第１コマ１１及び第２コマ１２をそれぞれ前記座ぐり部１５，１６の底面に鋲着してなることがより好ましい。ここで、前記第１コマ１１及び第２コマ１２の鋲着には、タッカー工具を用いてステーブルや鋲や釘を打ち込んで固定する。本実施形態では、ステーブル２６を用いて、それぞれ第１コマ１１及び第２コマ１２の貫通孔１３，１４の周囲４箇所を鋲着している。このように、前記第１コマ１１及び第２コマ１２をそれぞれ前記座ぐり部１５，１６に木工用接着剤１７で接着するとともに、鋲着することにより、木工用接着剤１７が硬化する前に、直ちに座板４と背凭れ板６を塗装工程に送ることができる。前記座板４と背凭れ板６を塗装する際には、予め前記第１コマ１１及び第２コマ１２の表面にシールを張っておき、接着面に塗料が付着しないようにする。
【００２７】
本発明で用いる木工用接着剤１７は、特に限定されないが、例えばコニシＣＨ００９Ｎを用いることができる。木工用接着剤１７が硬化するまでの養生時間は、気温によって異なるが、少なくても数時間以上である。一方、本発明で用いる木工用瞬間接着剤２１とは、塗布後数分程度で硬化する速乾性、あるいは即硬化性の接着剤のことであり、例えばシアノアクリレート系接着剤を用いることを用いることができる。一般的に、木工用瞬間接着剤２１は、脆く、衝撃に弱い性質があり、そのため本発明では、連結ピン１８とプッシュナット１９による機械的な締結手段を併用し、木工用瞬間接着剤２１の欠点を補うのである。
【符号の説明】
【００２８】
１  座部、
２  背凭れ部、
３  脚部、
４  座板、
５  座クッション体、
６  背凭れ板、
７  背クッション体、
８  支持板（第２木製部材）、
９  肘掛け板（第１木製部材）、
１０  連結部、
１１  第１コマ、
１２  第２コマ、
１３  貫通孔、
１４  貫通孔、
１５  座ぐり部、
１６  座ぐり部、
１７  木工用接着剤、
１８  連結ピン、
１９  プッシュナット、
２０  軸部、
２１  木工用瞬間接着剤、
２２  頭部、
２３  嵌合凹部、
２４  逃し凹部、
２５  凹陥部、
２６  ステーブル。
【図１】
0005699600.tif 000002
【図２】
0005699600.tif 000003
【図３】
0005699600.tif 000004
【図４】
0005699600.tif 000005
【図５】
0005699600.tif 000006
【図６】
0005699600.tif 000007
【図７】
0005699600.tif 000008